(57)【要約】【課題】液状ならびに固形のステック状の香水含有体を容易に入れ替えることができる携帯用香水容器体の提供を図る。【解決手段】香水含有体と、それを収納する収納容器体と、からなる携帯用香水収納容器体であって、前記香水含有体は、多孔性吸収体で形成され、前記収納容器体は、収納容器と収納キャップで組み合わされて形成され、前記収納容器と収納キャップのいづれか一方に通気孔を設けた手段を採る。【選択図】図１
2011030999.tif 000002
【特許請求の範囲】
【請求項１】
香水含有体と、それを収納する収納容器体と、からなる携帯用香水収納容器体であって、前記香水含有体は、多孔性吸収体で形成され、前記収納容器体は、収納容器と収納キャップで組み合わされて形成され、前記収納容器と収納キャップのいづれか一方に通気孔を設けたことを特徴とする携帯用香水容器体。
【請求項２】
前記香水含有体が、香水を含有しない多孔性吸収体であることを特徴とする携帯用香水容器体。
【請求項３】
前記香水含有体が、液状の香水を含有する多孔性吸収体であることを特徴とする携帯用香水容器体。
【請求項４】
前記香水含有体が、香水を含有する固形体であることを特徴とする携帯用香水容器体。
【請求項５】
前記香水含有体が、密封包装袋に封入され、さらに、販売包装袋に入れられて提供されることを特徴とする請求項２から請求項４記載の香水含有体。
【請求項６】
前記香水含有体が、挿入管に収められ、土産物や置物の香水収納容器体内に収納されたことを特徴とする請求項１から請求項５記載の携帯用香水容器体。
【請求項７】
前記香水含有体が、シート状に形成され、シート状の香水収納容器体内に収納されたことを特徴とする請求項１から請求項５記載の携帯用香水容器体。
【発明の詳細な説明】
【技術分野】
【０００１】  本発明は、液状ならびに固形の香水含有体を容易に入れ替えることができる携帯用の香水容器に関する。
【背景技術】
【０００２】  従来より、液状や固形の香水を収納する容器にストラップ、キーホルダー、ペンダント、イアリング、紐体等を取り付けて装飾的に携帯する香水容器が提供されている。【０００３】  例えば、香水や化粧水等の気散性液体を収納する容器をキーホルダーやバッグ、ポーチなどに取り付けて自在に携行することができる「気散性液体携行容器」（特許文献１参照）が提案されている。【０００４】  また、香水アトマイザーを小型化して携帯電話のストラップと組み合わせた「香水アトマイザー付き携帯電話のストラップ」（特許文献２参照）が提案されている。【０００５】  また、顆粒や固形の香水をキャラクターグッズなどの容器やぬいぐるみに収納させて携帯ストラップやペンダントとして使用する「香る携帯ストラップ」（特許文献３参照）が提案されている。【０００６】  また、布製の袋の中に香水の液体を染み込ませた綿や固形材を入れて「匂い袋」や「お守り」として昔から広く提供されていた。【０００７】  しかしながら、上記の公知技術ならびに従来の商品のいずれも匂いの元となる香水が、液状のものか、液体を染み込ませたものか、固形状のものかの何れかものに限定されるものであり、また、液状のものおよび液体を染み込ませたものは、香水液の液漏れの心配や補充を必要とするものであり、また固形状のものは芳香期限が過ぎると効力を失うなど、その補填作業に手間が掛かったり、同じ香水を長い間使用しなければならず、その時の気分にあわせて香水の種類を自由に選択することができなかった。
【先行技術文献】
【特許文献】
【０００８】
【特許文献１】登録実用新案第３０５１４７４号公報
【特許文献２】登録実用新案第３０７０２４５号公報
【特許文献３】特許公開２００６−５１０８７号公報
【発明の概要】
【発明が解決しようとする課題】
【０００９】  本発明は、上記問題点を鑑み、液状ならびに固形の香水含有体を容易に入れ替えることができる携帯用香水容器体の提供を図るものである。
【課題を解決するための手段】
【００１０】  本発明は、香水含有体とそれを収納する収納容器体とからなる携帯用香水収納容器体であって、香水含有体は、発泡樹脂スポンジ体で形成され、収納容器体は、収納容器と収納キャップで組み合わされて形成され、その収納キャップと収納容器のいづれか一方に通気孔を設けた手段を採るものである。【００１１】  また、香水含有体が、香水を含有しない発泡樹脂スポンジ体である手段を採るものである。【００１２】  また、香水含有体が、液状の香水を含有する多孔性吸収体である手段を採るものである。【００１３】  また、香水含有体が、香水を含有する固形体である手段を採るものである。【００１４】  また、香水含有体が、密封包装袋に封入され、さらに、販売包装袋に封入されて提供される手段を採るものである。【００１５】  また、香水含有体が、挿入管に収められ、土産物や置物の香水収納容器体内に収納される手段を採るものである。【００１６】  また、香水含有体が、シート状に形成され、収納容器体に収納される手段を採るものである。
【発明の効果】
【００１７】  携帯用香水容器体が、香水含有体と、それを収納する収納容器体とから構成されることによって、コンパクトでデザイン性が高くユーザーの好みに合った携帯用の香水容器が提供できると共に香水含有体がステック状であるため、補充の手間が掛かからず、容易に入れ替えることができる優れた効果が得られるものである。【００１８】  また、香水含有体が、多孔性吸収体で形成され、香水を含有しない多孔性吸収体と、液状の香水を含有する多孔性吸収体と、香水を含有する固形体で構成されることから、液体ならびに固形の香水含有体の香水が使用できるため、従来の香水液が使用できることや液漏れの心配がないこと、気散性が劣化したときの交換が容易であるなどの優れた効果が得られるものである。【００１９】  また、ステック状の香水含有体が、密封包装袋に封入され、さらに、販売包装袋に入れられて提供されることから、色々の種類の香水が手軽に選択できることや、価格が廉価な少量セットのステック状の香水含有体をカートリッジ的に入れ替えすれば良いもので、補充の手間が掛かからず、容易に入れ替えることができる優れた効果が得られるものである。【００２０】  また、シート状に形成され、キャラクターグッズや通気性のある収納容器体に収納されることから、名刺入れや本などの厚みのない品物にも収納できるため、機能性、多様性、携帯性が高い癒し系ビジネスグッズとして使われる優れた効果が得られるものである。【００２１】  以上のように、本発明における携帯用香水収納容器体は、従来の携帯用香水収納容器体と比較して多くの優れた利点を持つものである。
【図面の簡単な説明】
【００２２】
【図１】図１は、本発明における携帯用香水収納容器体の全体構成を示す説明図である。図（ａ）は収納容器体に通気孔を設けた状態を示す斜視図である。（実施例１）  図（ｂ）は収納キャップに通気孔を設けた状態を示す斜視図である。（実施例２）
【図２】図２は、本発明における携帯用香水収納容器体に収納される香水含有体の実施形態を示す説明図である。図（ａ）は香水含有体の実施形態を示す説明図である。（実施例３）  図（ｂ）は香水含有体の別の実施形態を示す説明図である。（実施例４）  図（ｃ）は香水含有体の別の実施形態を示す説明図である。（実施例５）
【図３】図３は、本発明における携帯用香水収納容器体の別の実施形態を示す説明図である。図（ａ）は収納容器体を土産物や置物とした実施形態を示す説明図である。（実施例６）  図（ｂ）は収納容器体をシート状とした実施形態を示す説明図である。（実施例７）  図（ｃ）は収納容器体をキャラクターグッズとした実施形態を示す説明図である。（実施例８）
【発明を実施するための形態】
【００２３】  本発明は、液状ならびに固形のステック状の香水含有体を容易に入れ替えることができる携帯用香水収納容器体であることを最大の特徴とするもので、以下、実施例を図面をもとに説明する。
【実施例１】
【００２４】  図１は、本発明における携帯用香水収納容器体の全体構成を示す説明図である。
図（ａ）は収納容器体に通気孔を設けた状態を示す全体斜視図である。
図に示す携帯用香水収納容器体１０は、ステック状の香水含有体２１と、それを収納する収納容器体１１とで構成されるもので、収納容器１２の一端部にネジ部１６を有し、他方端部にストラップ１７やキーホルダーを取り付けて携帯できる様にし、該ネジ部１６に、カートリッジタイプの香水含有体２１が収納できる収納部１４を有した収納キャップ１３をねじ込んで組み合わせ、その収納キャップ１３の通気孔１５から香水を気散させて携帯用香水収納容器体１０としたものである。本発明の携帯用香水収納容器体１０は、極めて単純な構成内容と香水の補充作業が場所と時間を選ばず簡単にできるもので、ネックレス仕様やイアリング仕様にも応用できる構造を有するものである。
【実施例２】
【００２５】  図（ｂ）は収納キャップに通気孔を設けた状態を示す斜視図である。
図に示す携帯用香水収納容器体１０は、ステック状の香水含有体２１と、それを収納する収納容器体１１とで構成されるもので、カートリッジタイプの香水含有体２１が収納できる収納部１４と通気孔１５を有した収納容器１２の一端部にネジ部１６を有して、ストラップ１７やキーホルダーを取り付けて携帯できる様にし、該ネジ部１６に、収納キャップ１３をねじ込んで組み合わせ、収納容器１２の通気孔１５から香水を気散させて携帯用香水収納容器体１０としたものである。本発明の携帯用香水収納容器体１０は、極めて単純な構成内容と香水の補充作業が場所と時間を選ばず簡単にできるもので、ネックレス仕様やイアリング仕様にも応用できる構造を有するものである。
【実施例３】
【００２６】  図２は、本発明における携帯用香水収納容器体に収納される香水含有体の実施形態を示す説明図である。
図（ａ）は、香水含有体の実施形態を示す説明図である。
ステック状の香水含有体２１を香水を含有しない多孔性吸収体２１ａとするもので、香水を含有しない多孔性吸収体２１ａを１本毎に密封袋体２２で封入し、さらに販売袋体２３に入れて提供するものである。香水を含有しない多孔性吸収体２１ａに市販されている香水液を浸透または振り掛けて使用するもので、経済的であることと、液漏れの心配がないこと、気散性が乏しくなったら直ちに交換補充できるなどのメリットがある構造を有するものである。
【実施例４】
【００２７】  図（ｂ）は、香水含有体の別の実施形態を示す説明図である。
ステック状の香水含有体２１を香水を含有した多孔性吸収体２１ｂとするもので、香水を含有した多孔性吸収体２１ｂを１本毎に密封袋体２２で封入し、香料の名称が記された販売袋体２３に入れて提供するものである。外出先でも簡単に香水含有体２１を交換することができること、色々な香水を時と場所に合わせて使用できること、交換補充作業に手間が掛からないこと、液漏れの心配がないこと、気散性が乏しくなったらすぐに交換できることなどの多くのメリットがある構造を有するものである。
【実施例５】
【００２８】  図（ｃ）は、香水含有体の別の実施形態を示す説明図である。
ステック状の香水含有体２１を香水を含有する固形体２１ｃとするもので、香水を含有する固形体２１ｃを１本毎に密封袋体２２で封入し、香料の名称が記された販売袋体２３に入れて提供するものである。外出先でも簡単に香水含有体２１を交換することができること、色々な香水を時と場所に合わせて使用できること、交換補充作業に手間が掛からないこと、液漏れの心配がないこと、気散性が乏しくなったらすぐに交換できることなどの多くのメリットがある構造を有するものである。
【実施例６】
【００２９】  ［図３］図３は、本発明における携帯用香水収納容器体の別の実施形態を示す説明図である。
図（ａ）は、収納容器体を土産物や置物とした実施形態を示す説明図である。
図に示す携帯用香水収納容器体１０は、ステック状の香水含有体２１と、挿入管４８と、それを収納する土産物や置物とした収納容器４６とで構成されるもので、例えば、こけしや将棋の駒などの収納容器４６の一部にストラップ１７やキーホルダーを取り付けて携帯できる様にして、底部に穴をあけ、カートリッジタイプの香水含有体２１が嵌められる金属製の挿入管４８を挿入することによって、挿入管４８の開口部から香水を気散させて携帯用香水収納容器体１０とするものである。極めて単純な構造であるため、従来にない「香りがする土産物や置物」として観光地などで提供できるものである。また、交換用の香水含有体２１は、前記の密封袋体２２に封入されて販売袋体２３で包装して提供することで、芳香効果が長期に亘って維持することができる構造を有するものである。
【実施例７】
【００３０】  図（ｂ）は、収納容器体をシート状とした実施形態を示す説明図である。
図に示す携帯用香水収納容器体１０は、ステック状の香水含有体２１と、それを収納する通気性のあるシート状の収納容器体４４とで構成されるもので、そのシート状の収納容器体４４にシート状の香水含有体４５を収納させて携帯用香水収納容器体１０としたものである。名刺入れや本などの厚みのない品物にも収納できるため、機能性、多様性、携帯性が高い癒し系ビジネスグッズとして使うことができるものである。また、交換用のシート状の香水含有体４５は、密封袋体２２に封入されて香料の名称が記された販売袋体２３に入れられて提供される構造を有するものである。
【実施例８】
【００３１】  図（ｃ）は、収納容器体をキャラクターグッズとした実施形態を示す説明図である。
図に示す携帯用香水収納容器体１０は、ステック状の香水含有体２１と、それを収納するキャラクターデザインの収納容器４７とで構成されるもので、通気性を持たせた布製などの収納容器４７の一部にストラップ１７やキーホルダーを取り付けて携帯できる様して、内部にステック状の香水含有体２１が収納できる収納部１４を有して香水を気散させて携帯用香水収納容器体１０としたものである。極めて単純な構成内容と香水の補充作業ができるもので自分好みのキャラクターデザインを身にまとうことで癒しや遊び感覚を持った携帯用香水収納容器体１０とするものである。また、交換用のステック状の香水含有体２１は、密封袋体２２に封入されて香料の名称が記された販売袋体２３に入れられて提供される構造を有するものである。
【符号の説明】
【００３２】１０    携帯用香水収納容器体
１１    収納容器体
１２    収納容器
１３    収納キャップ
１４    収納部
１５    通気孔
１６    ネジ部
１７    ストラップ
２１    香水含有体
２１ａ  香水を含有しない多孔性吸収体
２１ｂ  香水を含有した多孔性吸収体
２１ｃ  香水を含有する固形体
２２    密封袋体
２３    販売袋体
４４    シート状の香水収納容器体
４５    シート状の香水含有体
４６    土産物や置物の香水収納容器体
４７    キャラクターの香水収納容器体
４８    挿入管
【図１】
2011030999.tif 000003
【図２】
2011030999.tif 000004
【図３】
2011030999.tif 000005